(57)【要約】      （修正有）【課題】脆いセラミックを破損せず、能率良く反応装置の格子状触媒の目詰まりを除去する可搬式目詰まり除去装置の提供。【解決手段】格子状触媒１の格子と同程度の間隔で多数の孔を有する圧縮空気噴射板２から、格子状触媒の目詰まりに圧縮空気を噴射して、空気の力で複数の目詰まりを同時に除去する装置。自動間欠的に圧縮空気を噴射する自動間欠空気噴射弁を付けた目詰まり除去装置。【選択図】図１
0003132671.tif 000002
【実用新案登録請求の範囲】
【請求項１】
格子状触媒の格子と同程度の間隔で多数の孔を有する圧縮空気噴射板から、格子状触媒の目詰まりに、圧縮空気を噴射する目詰まり除去装置。
【請求項２】
自動間欠的に圧縮空気を格子状触媒の目詰まりに噴射し、その繰り返し噴射衝撃力で目詰まりを除去する自動間欠空気噴射弁付き目詰まり除去装置。
【考案の詳細な説明】
【技術分野】
【０００１】  本考案は、目詰まりした格子状触媒から目詰まり物を除去するための装置に関する。
【背景技術】
【０００２】  セラミック製の格子状触媒は火力発電所の排煙脱硝装置等で使用され、触媒の格子が排煙中の異物により目詰まりした場合、目詰まりを除去するために、従来、図３に示すように針金で慎重に一目毎に異物を突き落としている。
【考案の開示】
【考案が解決しようとする課題】
【０００３】  しかしながら、以上の技術によれば、格子状触媒の目詰まりを一目毎に慎重に除去せざるを得ないために作業能率が非常に悪く、大量の目詰まりを除去するためには膨大な作業日数と作業員を必要とし、さらに、目詰まりを針金で突くためセラミック製の格子状触媒を破損する。
そこで、本考案は、脆いセラミックを破損せず、能率良く格子状触媒の目詰まりを除去することを課題とする。
【課題を解決するための手段】
【０００４】  以上の課題を解決するために、第一考案は図２に示すように、格子状触媒の格子と同程度の間隔で多数の孔を有する圧縮空気噴射板から、格子状触媒の目詰まりに、圧縮空気を噴射して、空気の力で複数の目詰まりを同時に除去する装置である。
また、第二考案は図１に示すように、自動間欠的に圧縮空気を格子状触媒の目詰まりに噴射し、その繰り返し噴射衝撃力で目詰まりを除去する自動間欠空気噴射弁付き目詰まり除去装置である。
【考案の効果】
【０００５】  第一考案、又は第二考案によれば、脆いセラミックス製の格子状触媒を破損せずに、格子状触媒の複数の目詰まりを一度に短時間で能率良く除去できる。
【考案を実施するための最良の形態】
【０００６】  本考案の一実施形態を図２に示す。
格子状触媒１の格子と同程度の間隔で多数の孔を有する圧縮空気噴射板２を、目詰まりした格子状触媒に押し付けて圧縮空気を噴射する。
本考案の目詰まり除去装置は、圧縮空気を噴射するための圧縮空気噴射版２、圧縮空気の圧力変動を低減するためのアキュムレータ３、圧縮空気の供給を開閉するための圧縮空気供給元弁４、圧縮空気供給ホースを接続するためのホース取付け口金５、目詰まり除去装置を持ち運ぶためのハンドル６、及び装置本体８から構成される。
「他の実施形態」
図２の実施形態によれば、圧縮空気の噴射衝撃力で目詰まりを除去するためには、圧縮空気供給元弁４を何度も何度も開閉する必要があり、作業員が疲労する。したがって、他の実施形態では図１に示すように、自動間欠的に圧縮空気を噴射する自動間欠空気噴射弁７を取り付けるものでも良い。また、目詰まり除去装置の低コスト化・軽量化のために、アキュムレータ３とハンドル６を一体化したものでも良い。
【図面の簡単な説明】
【０００７】
【図１】本考案の他の実施形態を示す斜視図である。
【図２】本考案の一実施形態を示す斜視図である。
【図３】従来技術を示す斜視図である。
【符号の説明】
【０００８】１  格子状触媒                ２  圧縮空気噴射板
３  アキュムレータ            ４  圧縮空気供給元弁
５  ホース取付け口金          ６  ハンドル
７  自動間欠空気噴射弁        ８  装置本体
９  針金
【図１】
0003132671.tif 000003
【図２】
0003132671.tif 000004
【図３】
0003132671.tif 000005
【手続補正書】
【提出日】平成19年3月23日(2007.3.23)
【手続補正１】
【補正対象書類名】実用新案登録請求の範囲
【補正対象項目名】全文
【補正方法】変更
【補正の内容】
【実用新案登録請求の範囲】
【請求項１】
本装置は、中空の装置本体筒と、装置本体筒の拡大部先端に取り付けた圧縮空気噴射板と、装置本体筒の絞り部先端に取り付けたホース取付け口金と、装置本体筒の中位に取り付けた圧縮空気供給元弁と、装置本体筒の絞り部手前に取り付けたアキュムレータと、装置本体筒の外側に取り付けたハンドルとの組み合わせから構成され、反応装置の格子状触媒の格子間隔と０．８倍から１．２倍の同程度の間隔で４個から２５個の多数の方形孔又は丸孔を有する長方形又は正方形の圧縮空気噴射板から、反応装置の格子状触媒の目詰まりに、圧縮空気供給元弁の操作によって連続的又は間欠的に圧縮空気を噴射でき、圧縮空気の力で格子状触媒の目詰まりを吹き飛ばし又は押し出し除去する可搬式目詰まり除去装置。
【請求項２】
請求項１に記載の圧縮空気噴射板と圧縮空気供給元弁との間の装置本体筒に自動間欠空気噴射弁を取り付け、圧縮空気供給元弁の操作によって自動間欠的に圧縮空気を反応装置の格子状触媒の目詰まりに噴射でき、その繰り返し噴射衝撃力で格子状触媒の目詰まりを吹き飛ばし又は押し出し除去する自動間欠空気噴射弁付き可搬式目詰まり除去装置。
【手続補正２】
【補正対象書類名】明細書
【補正対象項目名】全文
【補正方法】変更
【補正の内容】
【考案の詳細な説明】
【技術分野】
【０００１】
本考案は、反応装置の目詰まりした格子状触媒から目詰まり物を除去するための装置に関するものである。
【背景技術】
【０００２】
反応装置のセラミック製の格子状触媒は火力発電所の排煙脱硝装置等で使用され、反応装置の格子状触媒の格子が排煙中の異物により目詰まりした場合、目詰まりを除去するために、従来、図３に示すように針金で慎重に一目毎に異物を突き落としている。
【考案の開示】
【考案が解決しようとする課題】
【０００３】
しかしながら、以上の技術によれば、反応装置の格子状触媒の目詰まりを一目毎に慎重に除去せざるを得ないために作業能率が非常に悪く、大量の目詰まりを除去するためには
膨大な作業日数と作業員を必要とし、さらに、反応装置の格子状触媒の目詰まりを針金で突くため脆いセラミック製の格子状触媒を破損する。
そこで、本考案は、脆いセラミックを破損せず、能率良く反応装置の格子状触媒の目詰まりを除去することを課題とする。
【課題を解決するための手段】
【０００４】
以上の課題を解決するために、第一考案は図２に示すように、反応装置の格子状触媒の格子間隔と０．８倍から１．２倍の同程度の間隔で多数の方形孔又は丸孔を有する長方形又は正方形の圧縮空気噴射板から、反応装置の格子状触媒の目詰まりに、圧縮空気供給元弁の操作によって連続的又は間欠的に圧縮空気を噴射でき、圧縮空気の力で格子状触媒の複数の目詰まりを同時に吹き飛ばし又は押し出し除去する可搬式目詰まり除去装置である。
また、第二考案は図１に示すように、圧縮空気噴射板と圧縮空気供給元弁との間に自動間欠空気噴射弁を取り付け、圧縮空気供給元弁の操作によって自動間欠的に圧縮空気を反応装置の格子状触媒の目詰まりに噴射でき、その繰り返し噴射衝撃力で格子状触媒の目詰まりを吹き飛ばし除去する自動間欠空気噴射弁付き可搬式目詰まり除去装置である。
【考案の効果】
【０００５】
第一考案又は第二考案によれば、反応装置の脆いセラミックス製の格子状触媒を破損せずに、反応装置の格子状触媒の複数の目詰まりを一度に短時間で能率良く吹き飛ばし又は押し出し除去できる。
【考案を実施するための最良の形態】
【０００６】
本考案の一実施形態を図２に示す。
反応装置の部分的に目詰まりした格子状触媒１の格子間隔と０．８倍から１．２倍の同程度の間隔で４個から２５個の多数の方形孔又は丸孔を有する長方形又は正方形の圧縮空気噴射板２を、部分的に目詰まりした格子状触媒１に押し付けて圧縮空気を噴射する。
本考案の可搬式目詰まり除去装置は、中空の装置本体筒８と、圧縮空気を噴射するため装置本体筒８の拡大部先端に取り付けた圧縮空気噴射板２と、圧縮空気供給ホースを接続するため装置本体筒８の絞り部先端に取り付けたホース取付け口金５と、圧縮空気の供給を開閉するため装置本体筒８の中位に取り付けた圧縮空気供給元弁４と、圧縮空気の圧力変動を低減するため装置本体筒８の絞り部手前に取り付けたアキュムレータ３と、目詰まり除去装置を持ち運ぶため装置本体筒８の外側に取り付けたハンドル６との組み合わせから構成される。
「他の実施形態」
図２の実施形態によれば、圧縮空気の噴射衝撃力で目詰まりを吹き飛ばし又は押し出し除去するためには、圧縮空気供給元弁４を何度も何度も開閉する必要があり、作業員が疲労する。したがって、他の実施形態では図１に示すように、圧縮空気供給元弁４の操作によって自動間欠的に圧縮空気を噴射する自動間欠空気噴射弁７を圧縮空気噴射板２と圧縮空気供給元弁４との間に取り付けるものでも良い。また、目詰まり除去装置の低コスト化・軽量化のために、アキュムレータ３とハンドル６を一体化したアキュムレータ兼ハンドル１０でも良い。
【図面の簡単な説明】
【０００７】
【図１】本考案の他の実施形態を示す斜視図である。
【図２】本考案の一実施形態を示す斜視図である。
【図３】従来技術を示す斜視図である。
【符号の説明】
【０００８】
１  部分的に目詰まりした格子状触媒        ２  圧縮空気噴射板
３  アキュムレータ                        ４  圧縮空気供給元弁
５  ホース取付け口金                      ６  ハンドル
７  自動間欠空気噴射弁                    ８  装置本体筒
９  針金                                １０  アキュムレータ兼ハンドル
【手続補正３】
【補正対象書類名】図面
【補正対象項目名】図１
【補正方法】変更
【補正の内容】
【図１】
0003132671.tif 000006